(57)【要約】      （修正有）【課題】大径メダル及び小径メダルの何れを使用しても遊技が行える遊技機において、小型かつシンプルな構造でメダルの選別を行えるようにする。【解決手段】フラッパータイプソレノイド１４２は、メダル切換スイッチにより使用が選択されたメダルとメダル検出スイッチユニット１４０が検出したメダルの種類が一致した場合にメダルをメダル収納部へ通過させ、メダル切換スイッチにより使用が選択されたメダルとメダル検出スイッチユニット１４０が検出したメダルの種類が異なる場合にメダルを第２のメダル案内経路３１２から排除する。これにより、大径メダル及び小径メダルの何れを使用しても遊技が行える遊技機において、小型かつシンプルな構造でメダルの選別を行える。【選択図】図１３
2009268816.tif 000002
【特許請求の範囲】
【請求項１】
直径が異なる複数種類のメダルを選択的に使用可能であって、選択して使用する直径の適正な前記メダルをメダル収納部に導くメダル選別装置を有する遊技機であって、
前記メダル選別装置は、
当該遊技機で使用する前記メダルの種類を選択するためのメダル選択手段と、
メダル投入口から投入された前記メダルを前記メダル収納部に案内するメダル案内経路と、
前記メダル案内経路を移動する前記メダルが所定の直径より小さい小径メダルまたは前記所定の直径より大きい大径メダルの何れであるかを検出するメダル検出手段と、
前記メダル選択手段により使用が選択されたメダルと前記メダル検出手段が検出したメダルの種類が一致した場合に前記メダルを前記メダル収納部へ通過させ、前記メダル選択手段により使用が選択されたメダルと前記メダル検出手段が検出したメダルの種類が異なる場合に前記メダルを前記メダル案内経路から排除するメダル排除手段と、
を備えることを特徴とする遊技機。
【請求項２】
前記メダル検出手段は、
前記メダル案内経路内の前記大径メダルが通過する領域と前記小径メダルが通過する領域が重複する位置に設けられ、前記大径メダルと前記小径メダルの双方を検出可能な第１の検出部と、
前記メダル案内経路内の前記小径メダルが通過する領域の外側であって、且つ前記大径メダルが通過する領域内の位置に設けられ、前記大径メダルを検出する第２の検出部と、
前記第１及び第２の検出部の検出結果から前記メダル案内経路を移動するメダルが前記小径メダルまたは前記大径メダルの何れであるかを判別するメダル判別手段と、
を備えることを特徴とする請求項１に記載の遊技機。
【請求項３】
前記メダル検出手段は、
前記メダル案内経路の所定の位置を通過する前記メダルを光学的に検出する光学センサと、
前記光学センサが検出したメダルの通過時間から前記メダル案内経路を移動するメダルが前記小径メダルまたは前記大径メダルの何れであるかを判別するメダル判別手段と、
を備えることを特徴とする請求項１に記載の遊技機。
【発明の詳細な説明】
【技術分野】
【０００１】
本発明は、メダルを使用して遊技が実行されるスロットマシン等の遊技機に関するものである。
【背景技術】
【０００２】
従来、遊技場に設置して使用される回胴式遊技機としてスロットマシンが知られている。
一般的なスロットマシンは、前扉に形成された透明な表示窓を通して筐体内の３列のリールが目視される。各リールの周面には複数種類の図柄が配列されて描かれており、リールを回転させることで遊技の入賞又はハズレに係る図柄が変動表示される。また、スロットマシンには、遊技媒体（メダル）が投入されるメダル投入口と、メダル投入口から投入されたメダルを貯留するクレジット手段と、貯留されているメダルから所定枚数のメダルを賭けてゲームを準備するためのベットボタンと、リールを一斉に回転させるスタートレバーと、回転する各リールを個別に停止させるためのストップボタンが設けられている。前記ベットボタンが押圧操作され、前記スタートレバーが傾倒操作されて回転を開始した前記リールは、前記ストップボタンの押圧操作を契機にそれぞれ制動されて停止する。そして、スロットマシンは、各リールが表示する図柄の組合せが有効ライン上に揃うと入賞が確定し、入賞図柄の組合せに応じた数のメダルを配当する。
【０００３】
また、一般的なスロットマシンには、例えば特許文献１に記載されているように、メダル投入口からメダル通路に投入されたメダルの適否を判別し、遊技機内のメダルタンクへの投入と遊技機外への排出とに振り分けるメダル選別装置（メダルセレクター）が設けられている。このメダル選別装置は、メダル通路を通過するメダルを検出するメダルセンサとして、光学センサ（フォトセンサ）を内蔵している。そして、このメダル選別装置は、ゲームの待機状態等において正規のメダルが投入され、前記光学センサがこのメダルを検出することによって、当該光学センサがメダル投入の受け付けを示す信号をスロットマシンの主制御基板へ送出する。スロットマシンの主制御基板は、メダル投入の受け付けを示す信号によって内部に貯留するメダル（クレジット）を増加させる。
【０００４】
ところで、日本国内でのスロットマシンの遊技には、地域や遊技者の好みに応じて、直径が３０mmのメダル（以下、大径メダルという。）が用いられる場合と、直径が２５mmのメダル（以下、小径メダルという。）が用いられる場合がある。
一方、近年、遊技施設では、貸メダル料金を下げる低貸メダル営業の店が増えてきている。ここで、低貸メダル営業を行う場合には、遊技施設全体を低貸メダル営業するのではなく、コーナーを区切って、遊技料金に差を設けている場合が多い。遊技料金に差を設けた場合には、前記コーナー間でメダルが移動されてしまうと、実際の遊技料金と異なる遊技料金で遊技が行われるという問題があるとともに、遊技メダルの数量に貸メダル料金を乗じた金額と等価の物品を提供することを求める「等価交換の原則」に違反することとなるので問題が多かった。このような問題を解決する方法として、第１の貸メダル料金のコーナーに大径メダル用のスロットマシンのみ配置して大径メダルのみで遊技を行わせ、第２の貸メダル料金のコーナーに小径メダル用のスロットマシンのみ配置して小径メダルのみで遊技を行わせることが考えられている。
【０００５】
一方、従来から用いられているスロットマシンのメダルセレクタは、大径メダルの選別のみ、或いは小径メダルの選別のみが可能であった。したがって、遊技機メーカーは、小径メダル用のスロットマシンと大径メダル用のスロットマシンとを別個に製造していた。このため、遊技機メーカーにとっては、これらのスロットマシンの作り分けが面倒であるという問題があった。
【０００６】
このことに対応して、例えば特許文献２には、大径メダル及び小径メダルの何れを使用しても遊技が行える遊技機の技術が開示されている。
【０００７】
【特許文献１】特開平７−８６００号公報
【特許文献２】特開２００６−２３８９９６号公報
【発明の開示】
【発明が解決しようとする課題】
【０００８】
ところで、従来の大径メダル及び小径メダルの何れを使用しても遊技が行える遊技機の技術では、メダル投入口から投入されたメダルを流下させる受入れ通路を小径メダル用の通路と前記大径メダル用の通路に分岐させるとともに、大径メダル用の通路の下流に大径メダル用のメダルセレクタ（メダル選別装置）を設け、小径メダル用の通路の下流に小径メダル用のメダルセレクタ（メダル選別装置）を設けているため構造が複雑であり、遊技機の内部部品の数が多なり、遊技機の製造コストが非常に増大するとともに、内部空間でメダルを選別する部品の占める割合が多く、その分ランプやスピーカ等の演出装置を搭載できるスペースが限られていた。
【０００９】
本発明は、こうした従来の問題に鑑みてなされたものであり、直径が異なる複数種類のメダルを選択的に使用可能な遊技機において、小型かつシンプルな構造でメダルの選別を行うことができる遊技機を提供することを目的としている。
【課題を解決するための手段】
【００１０】
上述した課題を解決するため、請求項１に記載の発明は、直径が異なる複数種類のメダルを選択的に使用可能であって、選択して使用する直径の適正な前記メダルをメダル収納部に導くメダル選別装置を有する遊技機であって、前記メダル選別装置は、当該遊技機で使用する前記メダルの種類を選択するためのメダル選択手段と、メダル投入口から投入された前記メダルを前記メダル収納部に案内するメダル案内経路と、前記メダル案内経路を移動する前記メダルが所定の直径より小さい小径メダルまたは前記所定の直径より大きい大径メダルの何れであるかを検出するメダル検出手段と、前記メダル選択手段により使用が選択されたメダルと前記メダル検出手段が検出したメダルの種類が一致した場合に前記メダルを前記メダル収納部へ通過させ、前記メダル選択手段により使用が選択されたメダルと前記メダル検出手段が検出したメダルの種類が異なる場合に前記メダルを前記メダル案内経路から排除するメダル排除手段と、を備えることを特徴とする。
【００１１】
請求項２に記載の発明は、請求項１に記載の遊技機であって、前記メダル検出手段は、前記メダル案内経路内の前記大径メダルが通過する領域と前記小径メダルが通過する領域が重複する位置に設けられ、前記大径メダルと前記小径メダルの双方を検出可能な第１の検出部と、前記メダル案内経路内の前記小径メダルが通過する領域の外側であって、且つ前記大径メダルが通過する領域内の位置に設けられ、前記大径メダルを検出する第２の検出部と、前記第１及び第２の検出部の検出結果から前記メダル案内経路を移動するメダルが前記小径メダルまたは前記大径メダルの何れであるかを判別するメダル判別手段と、を備えることを特徴とする。
【００１２】
請求項３に記載の発明は、請求項１に記載の遊技機であって、前記メダル検出手段は、前記メダル案内経路の所定の位置を通過する前記メダルを光学的に検出する光学センサと、前記光学センサが検出したメダルの通過時間から前記メダル案内経路を移動するメダルが前記小径メダルまたは前記大径メダルの何れであるかを判別するメダル判別手段と、を備えることを特徴とする。
【発明の効果】
【００１３】
本発明によれば、メダル排除手段が、メダル選択手段により使用が選択されたメダルとメダル検出手段が検出したメダルの種類が一致した場合にメダルをメダル収納部へ通過させ、前記メダル選択手段により使用が選択されたメダルと前記メダル検出手段が検出したメダルの種類が異なる場合にメダルを前記メダル案内経路から排除するので、直径が異なる複数種類のメダルを選択的に使用可能な遊技機において、小型かつシンプルな構造でメダルの選別を行うことができる。
【発明を実施するための最良の形態】
【００１４】
（１）第１の実施形態
以下、本発明に係る遊技機の好適な第１の実施形態を、スロットマシンを例に図面を参照して説明する。
【００１５】
図１は本発明の第１の実施形態によるスロットマシン１の外観構造を表した斜視図である。
【００１６】
図１において、スロットマシン１は、前方に開口を有する略矩形状の箱体である筐体２と、当該筐体２に対して蝶番機構により回動可能に取付けられることで前記開口を開閉可能な状態で閉塞させる前扉３とを備えている。
【００１７】
前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留するメダル受皿６１が一体的に形成されたメダル受皿部６が設けられている。
【００１８】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及びメダル受皿部６は、遊技者側に面し、これらによって「前面パネル部」が構成される。
【００１９】
上部パネル部４の中央には、硬質プラスチック板等で形成されたパネル面４１が設けられている。パネル面４１のほぼ中央には略長方形の透明な表示窓４２が形成されている。スロットマシン１は、このような表示窓４２を通して筐体２内に設けられているリールユニット１００の３個のリール１０１ａ、１０１ｂ、１０１ｃが目視されるようになっている。
【００２０】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できる。
【００２１】
上部パネル部４の上部には、高輝度発光ダイオード等のランプ類を内蔵する演出用照明部４３と、ゲームに係る効果音を発生させるスピーカを内蔵する演出用放音部４４ａ、４４ｂが配置されている。
【００２２】
スロットマシン１は、ゲームの進行に応じて上述した演出用照明部４３等が点灯又は点滅することで、ゲームにおける視覚的な演出効果を高めるように形成されている。
【００２３】
また、演出用放音部４４ａ、４４ｂの間には、透明な硬質プラスチック板等が嵌め込まれて形成された表示窓４５に面して遊技機の演出装置として液晶表示装置４６が配置されている。なお、液晶表示装置４６は、ゲームの演出に係る映像やゲーム（遊技）に関する情報を主に表示する。
【００２４】
操作卓７の上面右側には本実施形態の要部となるメダル投入部７１が設けられている。メダル投入部７１は、メダルを投入するためのメダル投入口７２を有する。
【００２５】
操作卓７の上面左側には、押しボタンスイッチである２個のベットボタン７３、７４が設けられている。
【００２６】
ベットボタン７３、７４はスロットマシンの１ゲームに賭けるメダルの枚数を提示するためのボタンスイッチである。本スロットマシン１においては、ゲームを開始する際に、ベットボタン７３が押圧操作されることで、内部貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２７】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作桿を備え、操作桿が傾倒操作されるとオン、操作桿から手が離されるとスプリングの付勢力によって自動的に元の位置に戻ってオフ状態となるスイッチユニットで形成されている。
【００２８】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００２９】
さらに、操作卓７の前面の左隅には、ゲームに賭けられたメダルをキャンセルして払い出させることを指示するとともに、内部貯留したメダルを精算して払い出させることを指示するための精算ボタン７７が設けられている。
【００３０】
操作卓７の前面右側には、前扉３を開錠するための鍵が挿入される鍵穴７８が設けられている。スロットマシン１の管理者等が鍵穴７８に所定の鍵を挿入して開錠操作すると、蝶番機構によって筐体２に取付けられている前扉３を前方へ開くことができ、また前扉３を筐体２側に閉じると、自動的にこれらを施錠するようになっている。
【００３１】
下部パネル部５には、スロットマシン１のモデルタイプを遊技者へ認識させる等のため、登場キャラクターの絵などを表示する表示パネル５１が設けられている。
【００３２】
下部パネル部５の下側に配置されたメダル受皿部６には、入賞時にメダルを払い出すメダル払出口６２と、払い出されたメダルを貯留するメダル受皿６１と、演出効果音を発生させるスピーカを内蔵する左右の演出用放音部６３ａ、６３ｂとが配置されている。
【００３３】
次に、図２を参照して、筐体２の内部構造と前扉３の裏面構造とを説明する。
図２は前扉３を開放した状態におけるスロットマシン１の内部構造を表した図である。
【００３４】
図２において、筐体２の前方には開口８を有している。この開口８内の上部には、左右のブラケット部材８１、８２を介して硬質プラスチックの基板ケース８０に収納された主制御基板２０が取付けられている。主制御基板２０は、スロットマシン１の全体動作を集中制御するＣＰＵを備えている。
【００３５】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取付けられている。なお、各リール１０１ａ、１０１ｂ、１０１ｃは、それぞれに内蔵されたリールモータによって回転駆動される。
【００３６】
また、リールユニット１００の上部には、各リールを回転駆動する前記リールモータへ４相の駆動パルス信号を送出するリール基板１１０が取付けられている。主制御基板２０は、リール基板１１０に回胴駆動（励磁）パルスデータを送出することで、各リールの回転、制動及び停止の制御を行っている。
【００３７】
リールユニット１００の下方には、ホッパ装置２１と、ホッパ装置２１から溢れたメダルを収容するための補助貯留部２２と、電源ユニット２３が設けられている。電源ユニット２３の内部の右側には、いわゆる配電盤に相当する電源装置基板２４が設けられている。
【００３８】
電源ユニット２３は、ハーネスを介してホッパ装置２１及び主制御基板２０等の電気部品と電気的に接続する。また、電源ユニット２３は、前記筐体２の壁面の貫通孔９に挿通された電源コード１０を介して筐体２の外部から電力が供給され、供給された電力から所定の電圧値の電力を生成してホッパ装置２１及び主制御基板２０等の電気部品に供給する。ホッパ装置２１の前面には、メダルを排出するメダル排出口２５が設けられている。ホッパ装置２１の上部にはメダルを貯留するメダル収納部２６が設けられている。
【００３９】
更に、筐体２の上部右側の内壁に、遊技場に設置されている「ホールコンピュータ」と呼ばれる管理用コンピュータと接続可能な外部集中端子板２７が取付けられている。
【００４０】
一方、前扉３の裏面側上部には、発光駆動部３０が配置されている。発光駆動部３０は、上述の演出用照明部４３（図１参照）の光源である高輝度の発光ダイオードが複数配列され、この発光ダイオードを発光駆動する駆動回路が実装されている。
【００４１】
また、前扉３の裏面側上部には、上述の演出用放音部４４ａ、４４ｂ（図１参照）に対向してスピーカ３２ａ、３２ｂが取付けられている。また、スピーカ３２ａ、３２ｂの間には、液晶表示装置４６が取付けられている。更に、液晶表示装置４６の裏面側には、電気回路基板で形成され硬質プラスチックの基板ケース９０に収納されたサブ制御基板４０が取付けられている。
【００４２】
主制御基板２０及びサブ制御基板４０は、スロットマシン１の作動を制御する制御基板である。
【００４３】
サブ制御基板４０の下方には、リール１０１ａ、１０１ｂ、１０１ｃを目視させるための透明な表示窓４２が形成されたパネル板４７が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００４４】
中央表示基板３３には、使用するメダルの種類を切り換えるためのメダル切換スイッチ８３が設けられている。
【００４５】
中央表示基板３３の下方には、保持具８４が取付けられており、この保持具８４によって本実施形態の要部となるメダル選別装置３４が取付けられている。
【００４６】
メダル選別装置３４は、メダル投入口７２に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４７】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル払出口６２へ案内するキャンセルシュート部材３６が設けられている。また、前扉３の裏面側下部には、ホッパ装置２１のメダル排出口２５から排出されたメダルをメダル払出口６２へ案内するガイド部材３７が設けられている。更に、メダル払出口６２に隣接して、上述した演出用放音部６３ａ、６３ｂ（図１参照）に対向するスピーカ３８ａ、３８ｂが取付けられている。
【００４８】
なお、スロットマシン１全体の動作は、筐体２側に設けられている主制御基板２０によって統括制御されており、サブ制御基板４０は、液晶表示装置４６による演出映像の表示制御、上述の演出用照明部４３の発光駆動部３０を用いた演出発光制御、及び演出用放音部４４ａ、４４ｂ、６３ａ、６３ｂのスピーカ３２ａ、３２ｂ、３８ａ、３８ｂを使った演出効果音制御など、ゲームの演出に係る制御を主に行っている。
【００４９】
次に、図３のブロック図を参照して、スロットマシン１に設けられている制御システムについて説明する。
図３はスロットマシン１の制御システムを表したブロック図である。
【００５０】
図３において、主制御基板２０は、メインＣＰＵ１２０と、記憶部１２１と、Ｉ／Ｆ回路１２２と、ソレノイド駆動回路１２３とを主要構成として備えている。
【００５１】
記憶部１２１は、ＲＯＭ、ＲＡＭ等の半導体メモリによって構成され、主要構成としてプログラムＲＯＭ１３１と制御ＲＡＭ１３２を有している。記憶部１２１のプログラムＲＯＭ１３１には、スロットマシンゲーム用のシステムプログラムが予め記憶されている。主制御基板２０は、記憶部１２１のプログラムＲＯＭ１３１に記憶されたシステムプログラムに従ってメインＣＰＵ１２０が演算処理を実行することで、スロットマシン１全体の動作を統括制御している。また、主制御基板２０は、スロットマシン１が内部貯留するメダルの数であるメダルクレジットを記憶部１２１の制御ＲＡＭ１３２に記憶させる。
【００５２】
主制御基板２０のメインＣＰＵ１２０には、中央表示基板３３及びＩ／Ｆ回路１２２を介してベットボタン７３、７４、スタートレバー７５、ストップボタン７６ａ、７６ｂ、７６ｃ、精算ボタン７７等の操作スイッチ類が接続されるとともに、中央表示基板３３及びＩ／Ｆ回路１２２を介してメダル選別装置３４のメダル検出スイッチユニット１４０及びメダルセンサ１４１が接続されている。また、主制御基板２０のメインＣＰＵ１２０には、Ｉ／Ｆ回路１２２を介してソレノイド駆動回路１２３の入力側が接続されている。ソレノイド駆動回路１２３の出力側には、中央表示基板３３を介してメダル選別装置３４のフラッパータイプソレノイド１４２が接続されている。
【００５３】
また、主制御基板２０には、電源装置基板２４が接続されている。電源装置基板２４は、主制御基板２０のメインＣＰＵ１２０からＩ／Ｆ回路１２２を介して送信されるコマンドデータに基づいてメダル払出装置であるホッパ装置２１を駆動する。
【００５４】
フラッパータイプソレノイド１４２は、メダル選別装置３４に流下するコインを強制排除する場合に用いられる後述のメダルブロッカ４５１(図５参照)を駆動するためのものである。メインＣＰＵ１２０は、主制御基板２０に設けられたソレノイド駆動回路１２３を制御することでフラッパータイプソレノイド１４２のオン、オフを行う。
【００５５】
主制御基板２０のメインＣＰＵ１２０は、前記操作スイッチ類やメダル選別装置３４のメダルセンサ１４１からの出力信号によりゲームに係る操作を検出する。
【００５６】
また、主制御基板２０のメインＣＰＵ１２０は、動作モードがメダルベット待機状態となっている場合において、メダルセンサ１４１がメダルを検出した場合、検出したメダルをゲームの賭数に加算する。
【００５７】
また、主制御基板２０のメインＣＰＵ１２０は、動作モードがメダルクレジット入力待機状態となっている場合において、メダルセンサ１４１がメダルを検出した場合、検出したメダルを制御ＲＡＭ１３２が記憶するメダルクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、制御ＲＡＭ１３２の前記クレジット数が最大値（例えば、５０）になるまでの状態のことを示している。
【００５８】
一方、左中右のリール１０１ａ、１０１ｂ、１０１ｃには、リールセンサ１０３ａ、１０３ｂ、１０３ｃが設けられている。
【００５９】
主制御基板２０のメインＣＰＵ１２０は、リール基板１１０及びＩ／Ｆ回路１２２を介してリールセンサ１０３ａ、１０３ｂ、１０３ｃの検出信号を受信し、各リールの基準となる回転位置を把握しながら、Ｉ／Ｆ回路１２２を介してリール基板１１０に所定の回胴駆動パルスデータを送信する。リール基板１１０は、主制御基板２０からの回胴駆動パルスデータに従って左中右のリールモータ１０２ａ、１０２ｂ、１０２ｃを回転駆動することで、各リール１０１ａ、１０１ｂ、１０１ｃの回転及び停止の動作制御を行っている。
【００６０】
主制御基板２０のメインＣＰＵ１２０は、Ｉ／Ｆ回路１２２及びリール基板１１０を介して外部集中端子板２７と接続しており、外部集中端子板２７にメダル払出信号等の遊技情報に関する信号と、払出エラー信号等のセキュリティーに関係する信号を送信する。
【００６１】
また、主制御基板２０のメインＣＰＵ１２０は、入賞が確定した場合等において、Ｉ／Ｆ回路１２２及び電源装置基板２４を介してホッパ装置２１を制御することで、所定数のメダルをメダル受皿６１（図１参照）に払い出す。
【００６２】
さらに、主制御基板２０のメインＣＰＵ１２０は、精算ボタン７７が操作された場合、ゲームに賭けられたメダルをキャンセルしてホッパ装置２１に払い出させるとともに、制御ＲＡＭ１３２が内部貯留したメダルであるメダルクレジットを精算してホッパ装置２１に精算前のクレジット数のメダルを払い出させる。
【００６３】
サブ制御基板４０は、主制御基板２０からの制御信号に基づいて演出用照明部４３（図１参照）、演出用放音部４４ａ、４４ｂ、６３ａ、６３ｂ（図１参照）のスピーカ３２ａ、３２ｂ、３８ａ、３８ｂ（図２参照）、液晶表示装置４６（図１参照）等の演出装置５０を制御駆動することで、遊技者の視覚や聴覚に訴える演出をゲームの進行に応じて行っている。
【００６４】
一方、記憶部１２１の制御ＲＡＭ１３２には、内部当選した入賞役に対応するフラグを記憶する内部抽選フラグ記憶領域が設定されている。
【００６５】
メインＣＰＵ１２０は、Ｉ／Ｆ回路１２２を介して受信するスタートレバー７５の出力信号が当該スタートレバー７５の操作を示すことを契機に入賞役またはハズレを抽選する。そして、メインＣＰＵ１２０は、入賞役に当選した場合、記憶部１２１の内部抽選フラグ記憶領域における当選した入賞役のフラグをオンにする。ここでは、かかる入賞役の抽選方法を「内部抽選」と呼んでいる。
【００６６】
次に、スロットマシン１におけるゲーム動作の概要を説明する。
スロットマシン１は、先のゲームにおいて入賞しメダルの配当が完了した時、又は先のゲームにおいてハズレが確定すると待機状態となる。次に、遊技者がメダル投入ガイド７１のメダル投入口７２にメダルを投入し、もしくは、ベットボタン７３を三回押圧操作するかベットボタン７４を一回押圧操作することで、スロットマシン１は、内部に貯留したメダル（クレジット）から当該ゲームに所定枚数（例えば、３枚）のメダルが賭けられゲームを準備する。
【００６７】
ゲーム準備の状態でスタートレバー７５が傾動操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ記憶領域に記憶される。
【００６８】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ記憶領域に記憶された内部抽選の入賞役に係る図柄の組合せとが一致しているかどうか判定する。
【００６９】
これら図柄の組合せが一致し役への入賞が確定すると、スロットマシン１は、主制御基板２０により制御ＲＡＭ１３２の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルをメダル受皿６１へ払い出す。
【００７０】
図４は、図１に示したメダル投入部７１の前方右斜め上側から見た斜視図である。
【００７１】
図４において、メダル投入部７１は、例えば亜鉛合金の鋳造で形成された本体部２０１の背面に背面蓋部２０２をネジ止めして組み立てたものである。
【００７２】
本体部２０１の背面側には、背面側板状部２０３が操作卓７の上面に対して直立して形成されている。本体部２０１の上部の背面側板状部２０３の前方には、複数枚のメダルを厚み方向に積層して背面板側へ移動可能にしたガイド部２０４が形成されている。
【００７３】
これらガイド部２０４と背面側板状部２０３との間にはメダルの厚みよりも若干広い隙間２０５が形成されており、この隙間２０５の上部は、メダル投入口７２になっている。
【００７４】
本体部２０１の下側には、メダルを下方に案内するための案内経路形成部２１１が下方に突出して設けられている。案内経路形成部２１１には、背面蓋部２０２とメダルの厚みよりも若干広い隙間２１２を介して対向する面が形成されている。
【００７５】
これら背面蓋部２０２と案内経路形成部２１１との隙間２１２の上部は、隙間２０５を介してメダル投入口７２に繋がる。このメダル投入口７２と隙間２０５、２１２はメダルを下方に案内する一本の第１のメダル案内経路２１３を形成している。第１のメダル案内経路２１３の左右の幅は、約３１mmに形成されている。
【００７６】
以下、本実施形態の要部となるメダル選別装置３４について詳細に説明する。
図５は、メダル選別装置３４の分解斜視図である。
【００７７】
図５において、メダル選別装置３４は、硬質プラスチックにより一体形成したケース３０１と、金属板から成るゲートプレート３０２と、合成樹脂で形成されケース３０１の略下半分を開閉可能に覆うカバー３０３とを主要構造としている。
【００７８】
ケース３０１は、背面側が開口した箱型に形成されており、若干縦長の四角形に形成された部品取付部４００の背面側に左右及び上側に壁部４０１、４０２、４０３を有する。ゲートプレート３０２は、ケース３０１に対して回動することでケース３０１の背面の上半分を露出及び遮蔽可能な状態で取付けられている。
【００７９】
図６は、メダル選別装置３４からカバー３０３を取り外した状態の左後方斜め上側から見た斜視図である。
【００８０】
図６において、左側壁部４０１の上部及び下部における前寄りの位置には、それぞれ保持具８４（図３参照）と係合する突起部４１１、４１２が側方に突出して形成されている。突起部４１１、４１２は、保持具８４にメダル選別装置３４を取り付けるためのものである。
【００８１】
図７は、メダル選別装置３４を組み立てた状態の右後方斜め上側から見た斜視図である。
【００８２】
図７において、右側壁部４０２の上部及び下部における前寄りの位置には、保持具８４（図３参照）と係合する突起部４２１、４２２が側方に突出して形成されている。突起部４２１、４２２は、保持具８４にメダル選別装置３４を取り付けるためのものである。
【００８３】
図８は、メダル選別装置３４のケース３０１の背面図である。
【００８４】
図８において、ケース３０１の部品取付部４００の壁面は、略上半分の領域を占める案内面部４３１と、案内面部４３１下端の斜めの折曲部４３２から左下奥へ向かう勾配を有する傾斜面部４３３と、傾斜面部４３３下端の斜めの折曲部４３４から下方に延出する垂直面部４３５から構成される。
【００８５】
尚、案内面部４３１の背面側の大径メダルや小径メダルに接触する面は、意図しない小径メダルの脱落を防止するため、若干斜め上方に向いて形成されている。
【００８６】
前扉３の正面側から見た案内面部４３１の右側部には、メダル検出スイッチユニット１４０がネジ２２０、２２０によるネジ止によって設けられている。
【００８７】
以下、メダル検出スイッチユニット１４０について詳細に説明する。
【００８８】
図９はメダル検出スイッチユニット１４０の分解斜視図である。
【００８９】
図９において、メダル検出スイッチユニット１４０は、印刷配線基板２２１と、基板側コネクタ２２２と、絶縁基台２２３と、押圧側接点ばね部材２２４と、第１及び第２の検出出力側接点ばね片２２５、２２６と、第１及び第２の押圧検出部材２２７、２２８と、ネジ２２９、２２９とから構成されている。
【００９０】
印刷配線基板２２１は、一方の板面が部品実装面２３１から他方の板面が配線面２３２（図１１参照）になっている。
【００９１】
印刷配線基板２２１には、ネジ孔２３３、２３３と端子挿入孔２３４−１、２３４−２、２３４−３、２３５−１、２３５−２、２３５−３が部品実装面２３１から配線面２３２（図１１参照）を貫通して形成されている。
【００９２】
基板側コネクタ２２２は、絶縁基台２４１に、Ｌ字状の電極ピン２４２−１、２４２−２、２４２−３を植設したものである。
【００９３】
電極ピン２４２−１、２４２−２、２４２−３は、折曲部２４３によりＬ字状に形成され、当該折曲部２４３より一方の側が印刷配線基板２２１の板面に対して垂直方向に延出して前記印刷配線基板２２１と電気的に接続する垂直部２４４になり、前記折曲部２４３より他方の側が前記印刷配線基板２２１の板面に対して平行方向に延出する平行部２４５になっている。
【００９４】
絶縁基台２４１は、合成樹脂等の絶縁性の素材で形成され、中央表示基板に接続された前記ハーネス側コネクタと結合する結合面２４６を有し、この結合面２４６を印刷配線基板２２１の外周方向に向けて配置している。また、絶縁基台２４１は、当該結合面２４６の反対側に基端面２４７を有し、当該結合面２４６と当該基端面２４７の間に前記印刷配線基板２２１に取り付けられる基板取付面２４８を有している。
【００９５】
電極ピン２４２−１、２４２−２、２４２−３の垂直部２４４は、絶縁基台２４１から基端面２４７から印刷配線基板２２１に向けて延出している。
【００９６】
電極ピン２４２−１、２４２−２、２４２−３の垂直部２４４の先端側は、印刷配線基板２２１の部品実装面２３１側から端子挿入孔２３４−１、２３４−２、２３４−３にそれぞれ挿入され、印刷配線基板２２１の裏面に形成された半田付けランド２３６−１、２３６−２、２３６−３（図１１参照）に半田付けされ電気的に接続される。
【００９７】
一方、絶縁基台２４１の結合面２４６には、中央表示基板３３に接続するハーネス４９１（図１１参照）の前記ハーネス側コネクタ４９０（図１１参照）が挿入される凹部が形成されている。
【００９８】
電極ピン２４２−１、２４２−２、２４２−３の平行部２４５は、凹部の奥面から突出し、後述のハーネス側コネクタ４９０（図１１参照）の対応するジャック端子と電気的に接続する。
【００９９】
一方、押圧側接点ばね部材２２４は、長四角形状の平面部２５１と第１及び第２の操作側接点ばね片部２５２、２５３と接続端子部２５４とを一体形成したものである。一方、平面部２５１の一方の長辺には、第１及び第２の操作側接点ばね片部２５２、２５３が突出して形成され、平面部２５１の他方の長辺には、接続端子部２５４が突出して形成されている。
また、第１及び第２の操作側接点ばね片部２５２、２５３は、平面部２５１の板面に対して印刷配線基板２２１から離れる方向に傾斜して形成されている。
【０１００】
第１及び第２の操作側接点ばね片部２５２、２５３の先端寄りには、第１及び第２の押圧検出部材２２７、２２８をネジ止めするためのネジ挿通孔２５５が形成されている。
【０１０１】
平面部２５１の一方の長辺の中央には細長形状の接続端子部２５４が突出して形成されている。
【０１０２】
第１及び第２の押圧検出部材２２７、２２８は、例えばジルコニアセラミック等の高い耐摩耗性を持つ素材で形成され、それぞれ押圧側接点ばね部材２２４に固定するための溝形部２６１、２６１と爪部２６２、２６３を一体形成したものである。
【０１０３】
溝形部２６１には第１及び第２の操作側接点ばね片部２５２、２５３が嵌入される溝２６４が爪部２６２、２６３の反対側に形成されている。溝２６４の奥面には、第１及び第２の押圧検出部材２２７、２２８にネジ止めするためのネジ孔２６５が形成されている。
【０１０４】
ネジ２２９、２２９は、ネジ部が第１及び第２の操作側接点ばね片部２５２、２５３のネジ挿通孔２５５、２５５にそれぞれ挿通し、さらにネジ部が第１及び第２の押圧検出部材２２７、２２８のネジ孔２６５、２６５にそれぞれ螺入して締め付けられることで、第１及び第２の押圧検出部材２２７、２２８を第１及び第２の操作側接点ばね片部２５２、２５３にネジ止め固定する。
【０１０５】
爪部２６２、２６３には、第１及び第２の操作側接点ばね片部２５２、２５３の先端方向に向けて離れる方向に傾斜する傾斜面２６６、２６７が形成されている。
【０１０６】
第１の検出出力側接点ばね片２２５は、長四角形状の平面部２７１と検出出力側接点ばね片部２７３と接続端子部２７５を一体形成したものである。第２の検出出力側接点ばね片２２６は、長四角形状の平面部２７２と検出出力側接点ばね片部２７４と接続端子部２７６を一体形成したものである。長四角形状の平面部２７１、２７２の一方の短辺には、検出出力側接点ばね片部２７３、２７４が突出して形成され、長四角形状の平面部２７１、２７２の他方の短辺には、接続端子部２７５、２７６が突出して形成されている。
【０１０７】
また、検出出力側接点ばね片部２７３、２７４は、平面部２７１、２７２の板面に対して印刷配線基板２２１から離れる方向に傾斜して形成されている。検出出力側接点ばね片部２７３、２７４の先端側には第１及び第２の操作側接点ばね片部２５２、２５３に向けて円周状に湾曲する接触部２７７、２７８が形成されている。
【０１０８】
絶縁基台２２３は、押圧側接点ばね部材２２４と、第１及び第２の検出出力側接点ばね片２２５、２２６とを植設するためのものである。
【０１０９】
絶縁基台２２３は、合成樹脂等の絶縁性の素材でブロック状に形成され形成され、印刷配線基板２２１の中央側を向くバネ片延出面２８１を有し、当該バネ片延出面２８１の反対側に基端面２８２を有し、当該バネ片配設面２８１と当該基端面２８２の間に前記印刷配線基板２２１に取り付けられる基板取付面２８３を有している。また、基板取付面２８３の反対側がケース３０１の案内面部４３１に対向するケース対向面２８４になっている。
【０１１０】
バネ片配設面２８１のケース対向面２８４寄りには、押圧側接点ばね部材２２４の平面部２５１が嵌入される凹部２８５がケース対向面２８４と平行に形成されている。
【０１１１】
バネ片配設面２８１の凹部２８５より基板取付面２８３寄りには、第１及び第２の検出出力側接点ばね片２２５、２２６の平面部２７１、２７２がそれぞれ嵌入される凹部２８６、２８７がケース対向面２８４に対して平行に形成されている。
【０１１２】
凹部２８５の奥面の中央部には、押圧側接点ばね部材２２４の接続端子部２５４が挿入されるスリット２８８が形成されている。
【０１１３】
凹部２８６、２８７の奥面の互いに離れた側には、第１及び第２の検出出力側接点ばね片２２５、２２６の接続端子部２７５、２７６がそれぞれ挿入されるスリット２８９、２９０が形成されている。
【０１１４】
基端面２８２におけるスリット２８８、２８９、２９０から基板取付面２８３の間には、接続端子部２５４、２７５、２７６が挿入される溝部２９１、２９２、２９３が形成されている。溝部２９１、２９２、２９３は、スリット２８８、２８９、２９０に連通している。
【０１１５】
押圧側接点ばね部材２２４、第１及び第２の検出出力側接点ばね片２２５、２２６の接続端子部２５４、２７５、２７６は、平面部２２４、２７１、２７２に対して同一平面状に伸ばされた状態でスリット２８８、２８９、２９０に挿入され、根本までスリット２８８、２８９、２９０に挿入された後に、折り曲げられ溝部２９１、２９２、２９３に挿入される。
【０１１６】
基端面２８２から基板取付面２８３を越えて印刷配線基板２２１側に延出した接続端子部２５４、２７５、２７６は、印刷配線基板２２１に形成された端子挿入孔２３５−１、２３５−２、２３５−３に挿入される。
【０１１７】
図１０はメダル検出スイッチユニット１４０の組み立てた状態の斜視図である。
【０１１８】
図１０に示すメダル検出スイッチユニット１４０の組み立てた状態において、第１及び第２の押圧検出部材２２７、２２８に力が加えられていない状態では、第１及び第２の検出出力側接点ばね片２２５、２２６の接触部２７７、２７８は、押圧側接点ばね部材２２４の第１及び第２の操作側接点ばね片部２５２、２５３に接触せず、オープン状態となる。
【０１１９】
第１の押圧検出部材２２７に所定以上の力が加えられた状態では、第１の検出出力側接点ばね片２２５の接触部２７７は、押圧側接点ばね部材２２４の第１の操作側接点ばね片部２５２が接触してショート状態となる。
【０１２０】
第２の押圧検出部材２２８に所定以上の力が加えられた状態では、第２の検出出力側接点ばね片２２６の接触部２７８は、押圧側接点ばね部材２２４の第２の操作側接点ばね片部２５３が接触してショート状態となる。
【０１２１】
図１１はメダル検出スイッチユニット１４０の及びその周辺部の分解斜視図である。
【０１２２】
図１１において、印刷配線基板２２１の端子挿入孔２３４−１、２３４−２、２３４−３にそれぞれ挿入された電極ピン２４２−１、２４２−２、２４２−３の垂直部２４４の先端側は、印刷配線基板２２１の裏面に形成された半田付けランド２３６−１、２３６−２、２３６−３にそれぞれ半田付けされ電気的に接続される。
【０１２３】
印刷配線基板２２１の端子挿入孔２３５−１、２３５−２、２３５−３にそれぞれ挿入された押圧側接点ばね部材２２４、第１及び第２の検出出力側接点ばね片２２５、２２６の接続端子部２５４、２７５、２７６は、印刷配線基板２２１の配線面２３２に形成された半田付けランド２３７−１、２３７−２、２３７−３にそれぞれ半田付けされ電気的に接続される。
【０１２４】
また、印刷配線基板２２１の配線面２３２には、半田付けランド２３７−１、２３７−２、２３７−３と半田付けランド２３６−１、２３６−２、２３６−３の間を電気的に接続する配線パターン２３８−１、２３８−２、２３８−３が形成されている。
【０１２５】
一方、ケース３０１の案内面部４３１の正面側には、二つのネジ止め部４４２、４４２が形成されている。ネジ止め部４４２、４４２は突起状に形成されている。ネジ止め部４４２、４４２は、先端面から後方に向けてネジ穴が形成されている。
【０１２６】
二つのネジ２２０、２２０は、印刷配線板２２１の二つのネジ挿通孔２３３、２３３に挿入し、ケース３０１の案内面部４３１の二つのネジ止め部４４２、４４２のネジ穴に螺入して締め付けられることで印刷配線板２２１を案内面部４３１の二つのネジ止め部４４２、４４２にネジ止め固定する。
【０１２７】
ケース３０１の案内面部４３１には、メダル検出スイッチユニット１４０の第１及び第２の押圧検出部材２２７、２２８の爪部２６２、２６３が挿通されるスリット４４３、４４４が形成されている。
【０１２８】
図１２はメダル検出スイッチユニット１４０及びその周辺部の斜視図である。
図１２において、メダル検出スイッチユニット１４０の印刷配線板２２１を案内面部４３１の二つのネジ止め部４４２、４４２にネジ止め固定した状態では、第１及び第２の押圧検出部材２２７（図１０参照）、２２８の爪部２６２（図１０参照）、２６３は、それぞれスリット４４３（図１１参照）、４４４に挿入され、後述の第２のメダル案内経路３１２（図１３参照）へ突出及び当該第２のメダル案内経路３１２（図１３参照）から退避可能な状態になる。
【０１２９】
第１及び第２の押圧検出部材２２７（図１０参照）、２２８の爪部２６２（図１０参照）、２６３は、長手方向が後述の第２のメダル案内経路３１２（図１３参照）と略平行になるように設けられている。また、爪部２６２、２６３は、第２のメダル案内経路３１２の上流側から下流側に向けて突出量が増大する方向に向けて斜めに切除された形状に形成されている。
【０１３０】
このような構造により、基板側コネクタ２２２の第１の電極ピン２４２−１は、半田付けランド２３６−１、配線パターン２３８−１、半田付けランド２３７−１を介して押圧側接点ばね部材２２４に電気的に接続している。基板側コネクタ２２２の第２の電極ピン２４２−２は、半田付けランド２３６−２、配線パターン２３８−２、半田付けランド２３７−２を介して第１の検出出力側接点ばね片２２５に電気的に接続している。基板側コネクタ２２２の第３の電極ピン２４２−３は、半田付けランド２３６−３、配線パターン２３８−３、半田付けランド２３７−３を介して第２の検出出力側接点ばね片２２６に電気的に接続している。
【０１３１】
また、基板側コネクタ２２２の電極ピン２４２−１は、主制御基板２０から中央表示基板３３、ハーネス４９１及びハーネス側コネクタ４９０を介して所定の値の正電圧が印加されている。即ち、押圧側接点ばね部材２２４の第１及び第２の操作側接点ばね片部２５２、２５３には所定の値の正電圧が印加される。
【０１３２】
これにより、第１及び第２の押圧検出部材２２７、２２８に力が加えられていない状態では、押圧側接点ばね部材２２４の第１及び第２の操作側接点ばね片部２５２、２５３が第１及び第２の検出出力側接点ばね片２２５、２２６から離れた状態になるので、基板側コネクタ２２２の第２及び第３の電極ピン２４２−２、２４２−３の出力は、両方ともオープン状態のローレベルとなる。
【０１３３】
第１の押圧検出部材２２７に所定以上の力が加えられると、押圧側接点ばね部材２２４の第１の操作側接点ばね片部２５２が第１の検出出力側接点ばね片２２５に接触した状態になるので、基板側コネクタ２２２の第２の電極ピン２４２−２の出力は、所定の値の正電圧（ハイレベル）となる。
【０１３４】
第２の押圧検出部材２２７に所定以上の力が加えられると、押圧側接点ばね部材２２４の第２の操作側接点ばね片部２５３が第２の検出出力側接点ばね片２２６に接触した状態になるので、基板側コネクタ２２２の第３の電極ピン２４２−３の出力は、所定の値の正電圧（ハイレベル）となる。
【０１３５】
基板側コネクタ２２２の第２及び第３の電極ピン２４２−２、２４２−３の出力は、検出出力としてハーネス側コネクタ４９０、ハーネス４９１、中央表示基板３３を介して主制御基板２０に送信される。
【０１３６】
一方、図５において、案内面部４３１の上側中央部には、前方に向けて凹む収納部４４０が設けられている。収納部４４０には、フラッパータイプソレノイド１４２が収納される。フラッパータイプソレノイド１４２は、ネジ４４１により収納部４４０の奥面にネジ止め固定される。
【０１３７】
以下、フラッパータイプソレノイド１４２について詳細に説明する。
【０１３８】
フラッパータイプソレノイド１４２は、電磁石４５３を設けたソレノイド本体４５０と、メダルブロッカ４５１と、コイルバネ４５２とから構成される。
【０１３９】
ソレノイド本体４５０は、略Ｌ字形状のプレート部材４５４の一方の平面部４５５に電磁石４５３を取付けたものである。電磁石４５３は、電磁コイル４５７とボビン４５８と鉄芯４５９とから構成される。ボビン４５８には、電磁コイル４５７が巻き付けられている。ボビン４５８の中心には鉄芯４５９が嵌入されている。ボビン４５８の正面にはメダルブロッカ４５１を回動の範囲を規制するための左右の突起部４６０、４６０が設けられている。
【０１４０】
他方の平面部４５６の正面側には、フック４６１が設けられている。他方の平面部４５６の正面側には、左右の突起部４６２、４６２が設けられている。
【０１４１】
メダルブロッカ４５１は、金属板を折り曲げて形成されたものであり、長手方向の基端側には、フック４６３が形成されている。
【０１４２】
メダルブロッカ４５１の側辺の基端側寄りには、プレート部材４５４の左右の突起部４６２、４６２が挿入される左右の切り欠き４６５、４６５が形成されている。左右の切り欠き４６５、４６５より基端側は、メダルブロッカ４５１の回動を規制する規制片４６６、４６６になっている。
【０１４３】
メダルブロッカ４５１の先端側には、規制爪部４６７が後述の第２のメダル案内経路３１２（図１３参照）へ突出する側に向けて延出して形成されている。
【０１４４】
また、ケース３０１の案内面部４３１の収納部４４０より前扉３の正面側から見て左側には、開口４７０が形成されている。開口４７０には、メダルの通過を検出するメダルセンサ１４１が設けられている。メダルセンサ１４１は、第１及び第２の反射式フォトセンサ４７１、４７２を有して形成されている。
【０１４５】
ゲートプレート３０２は、当該ケース３０１に対して開閉可能に取付けられケース３０１の略上半分を覆う金属板から形成される。
【０１４６】
このゲートプレート３０２は、金属板で形成された本体５０１の正面側から見た左方端部において軸部５０２を有し、軸部５０２によりケース３０１に軸支されている。この軸部５０２には、コイルバネ５０３が巻回されている。
【０１４７】
また、ゲートプレート３０２の本体５０１の背面には、金属製のスイングレバー５０４と、合成樹脂製の案内レバー５０５と、コイルバネ５０６、５０７とが取付けられている。
【０１４８】
スイングレバー５０４は、本体５０１の背面の上部に回動自在に軸支されている。コイルバネ５０６は、スイングレバー５０４を正面側から見て左回転方向へ常時付勢する。スイングレバー５０４の先端は、前方に向けて折り曲げられて爪部５０８が形成され、爪部５０８が本体５０１に形成された開口５０９を介して本体５０１の正面側に突出する。
【０１４９】
案内レバー５０５は、ゲートプレート３０２の本体５０１に対して回動自在に軸支されその軸部５１０に巻回されたコイルバネ５０７によって常時メダルブロッカ４５１側へ付勢される。
【０１５０】
図１３は、メダル投入部７１及びメダル選別装置３４の一部切り欠いて示す背面図である。
【０１５１】
図１３において、ゲートプレート３０２は、正面側から見た左方端部においてケース３０１に軸支され、軸部５０２に巻回されたコイルバネ５０３によって、常時、ケース３０１側へ付勢されている。
【０１５２】
ゲートプレート３０２がケース３０１の案内面部４３１と対向することで、ゲートプレート３０２の背面とケース３０１の案内面部４３１との間隙には、メダル入口３１１、及びメダル入口３１１から左下方のメダル出口３１３（図６参照）へ向かう第２のメダル案内経路３１２が形成されている。
【０１５３】
前記第２のメダル案内経路３１２においては、ゲートプレート３０２の下端部分がケース３０１側へ向けて折り曲げられて直線状の転送レール部５１１が形成されている。転送レール部５１１は、前記第２のメダル案内経路３１２を流下するメダルの外周を斜め下側から支持するものであり、ケース３０１の折曲部４３２（図５参照）と平行に配置し、且つ、折曲部４３２よりも若干下方に位置している。これにより、転送レール部５１１とケース３０１の傾斜面部４３３との間に隙間が生じ、メダル排除口３２１が形成されている。
【０１５４】
第２のメダル案内経路３１２の上流側には、メダル入口３１１に投入されたメダルが正規のものか否かを判別するセレクト機構３２２が設けられている。より詳細には、セレクト機構３２２は、規定以上の外径を有するメダルを排除する最大径規制手段と、規定以上の厚みを有するメダルを排除する板厚規制手段と、規定以下の外径を有するメダルを排除する最小径規制手段とを備え構成されている。
【０１５５】
セレクト機構３２２の最大径規制手段は、メダル入口３１１付近において、ゲートプレート３０２の背面からケース３０１の案内面部４３１へ向けて突設された一対の外径規制爪５１２、５１３により形成されている。外径規制爪５１２、５１３の間隔は、正規のメダルの外径にその寸法公差を考慮した最大外径相当の幅に設定されている。このため、規定以上の外径を有するメダルが最大径規制手段に投入されると、外径規制爪５１２、５１３によって下方への落下が阻止される。
【０１５６】
セレクト機構３２２の板厚規制手段は、ケース３０１の案内面部４３１に設けられゲートプレート３０２側へ突出するシックネススクリュ４３９により形成されている。シックネススクリュ４３９の先端からゲートプレート３０２の背面までの間隙は正規のメダルの最大厚さに設定されている。このため、規定以上の厚みを有するメダルが板厚規制手段に投入されると、シックネススクリュ４３９により下方への落下が阻止される。
【０１５７】
セレクト機構３２２の最小径規制手段は、ケース３０１の正面側に設けられたメダル検出スイッチユニット１４０と、転送レール部５１１と、第２のメダル案内経路３１２に沿ってゲートプレート３０２に形成された切欠き５１４と、傾斜壁部５１５と、案内面部５１６と、切欠き５１４の上部に形成されたレール状のメダル摺接部５２０とから主に形成されている。
【０１５８】
傾斜壁部５１５は、切欠き５１４が形成された部分の側壁であって図面手前側（メダルの転送方向に対して外方側）に傾斜する。
転送レール部５１１からメダル摺接部５２０の下端までの距離は、正規の小径メダルの外径より僅かに短く形成されている。
【０１５９】
ここで、図１０において、メダル検出スイッチユニット１４０は、押圧側接点ばね部材２２４の第１及び第２の操作側接点ばね片部２５２、２５３の復元力により第１及び第２の押圧検出部材２２７、２２８の爪部２６２、２６３が図１３に示す第２のメダル案内経路３１２内へ突出する側へ常時付勢される。
【０１６０】
メダル検出スイッチユニット１４０の第１の押圧検出部材２２７は、前記第２のメダル案内経路３１２内の前記大径メダルが通過する領域と前記小径メダルが通過する領域が重複する位置に設けられ、前記大径メダルと前記小径メダルの双方を検出可能する第１の検出部になっているとともに、前記大径メダルと前記小径メダルの双方をゲートプレート３０２の傾斜壁部５１５側に向けて押圧する。
【０１６１】
メダル検出スイッチユニット１４０の第２の押圧検出部材２２８は、前記第２のメダル案内経路３１２内の前記小径メダルが通過する領域の外側であって、且つ前記大径メダルが通過する領域内の位置に設けられ、前記大径メダルを検出する第２の検出部になっているとともに、大径メダルをゲートプレート３０２の傾斜壁部５１５側に向けて押圧する。
【０１６２】
これにより、スロットマシン１において、転送レール部５１１からメダル摺接部５２０の下端までの距離より小さいメダル状の異物や不良メダルがセレクト機構３２２に投入されると、当該メダルはメダル検出スイッチユニット１４０の第２の押圧検出部材２２８に衝突してゲートプレート３０２の傾斜壁部５１５へ倒され、転送レール部５１１から脱落する。脱落した当該メダルはメダル排除口３２１を介して下方へ排除される。
【０１６３】
また、スロットマシン１において、正規の大径メダル７０１がセレクト機構３２２に投入されると、メダル検出スイッチユニット１４０の第１及び第２の押圧検出部材２２７、２２８により当該メダルが傾斜壁部５１５へ押されるが、メダルの上端側はメダル摺接部５２０に支えられ、メダルの下端側は案内面部５１６に支えられるので、当該大径メダルは、倒されることなく、セレクト機構３２２の転送レール部５１１を脱落することなく通過する。
【０１６４】
また、スロットマシン１において、正規の小径メダルがセレクト機構３２２に投入されると、メダル検出スイッチユニット１４０の第１の押圧検出部材２２７により当該メダルが傾斜壁部５１５へ押されるが、メダルの上端側はメダル摺接部５２０に支えられ、メダルの下端側は案内面部５１６に支えられるので、当該小径メダルは、倒されることなく、セレクト機構３２２の転送レール部５１１を脱落することなく通過する。
【０１６５】
また、セレクト機構３２２の中間部におけるゲートプレート３０２のメダル入口３１１付近には、速度緩和機構３３１が設けられている。速度緩和機構３３１は、前述のスイングレバー５０４とコイルバネ５０６とを備え構成されている。
【０１６６】
スイングレバー５０４の先端の爪部５０８は、ゲートプレート３０２の開口５０９を通して第２のメダル案内経路３１２内まで突出している。
【０１６７】
すなわち、速度緩和機構３３１は、セレクト機構３２２内の第２のメダル案内経路３１２を落下するメダルに対してスイングレバー５０４の先端の爪部５０８が衝突し、スイングレバー５０４が当該メダルと当接しながら前記コイルバネの付勢力に抗して回動することで、当該メダルの落下速度を緩和するように構成されている。
【０１６８】
第２のメダル案内経路３１２の中流部分には、第２のメダル案内経路３１２により転送されるメダルをメダル排除口３２１から落下させて強制的に排除する機能を有するゲート機構３３２が設けられている。このゲート機構３３２は、前述のフラッパータイプソレノイド１４２と、案内レバー５０５とを備え構成されている。
【０１６９】
フラッパータイプソレノイド１４２のメダルブロッカ４５１は、図５に示すケース３０１の背面側に固着された略Ｌ字形状のプレート部材４５４の先端に回動自在に支承されコイルバネ４５２の引張り力によりその先端である規制爪部４６７が図１３に示す第２のメダル案内経路３１２内へ突出する側へ常時付勢される。
【０１７０】
図５に示すフラッパータイプソレノイド１４２の電磁石４５３は、図３に示す主制御基板２０からの制御信号に従ってオンオフし、オンすることで生じる磁力により前記メダルブロッカ４５１を引き付けその規制爪部４６７を図１３に示す第２のメダル案内経路３１２から退避させる。
【０１７１】
案内レバー５０５は、ゲートプレート３０２に対して回動自在に軸支されその軸部に巻回されたコイルバネ５０７によって常時メダルブロッカ４５１側へ付勢される。
【０１７２】
スロットマシン１が電源オフの時、又は遊技が進行中で新たなメダルの受け付けを禁止する状態においては、図５に示す電磁石４５３はオフの状態にあり、メダルブロッカ４５１の規制爪部４６７がケース３０１に形成された開口４４０を通して図１３に示す第２のメダル案内経路３１２内へ突出する。同時に案内レバー５０５は、コイルバネ５０７の付勢力によりメダルブロッカ４５１に当接すると共に、メダルブロッカ４５１の付勢力に負けて第２のメダル案内経路３１２の外方側の回動位置に押し出され静止する。この状態において、メダルがゲート機構３３２に投入されると、当該メダルはメダルブロッカ４５１の規制爪部４６７に衝突してゲートプレート３０２の傾斜壁部５１５へ倒され、転送レール部５１１から脱落する。これにより、当該メダルはメダル排除口３２１を介して下方へ排除される。
【０１７３】
以下、メダルセンサ１４１について詳細に説明する。
【０１７４】
図１３において、メダルセンサ１４１の第１の反射式フォトセンサ４７１は、前記第２のメダル案内経路３１２内に向けて光を照射する発光部４７１ａと当該第２のメダル案内経路３１２内を通過するメダルから反射した光を受光する受光部４７１ｂを有している。
【０１７５】
メダルセンサ１４１の第２の反射式フォトセンサ４７２は、発光部４７１ａより下流の位置で前記第２のメダル案内経路３１２内に向けて光を照射する発光部４７２ａと第２のメダル案内経路３１２内を通過するメダルから反射した光を受光する受光部４７２ｂを有している。
【０１７６】
第１及び第２の反射式フォトセンサ４７１、４７２は、それぞれ所定の周期で変調したパルス光を発光部４７１ａ、４７２ａの発光素子が周期的に発光し、その信号と同期する反射光を受光部４７１ｂ、４７２ｂの受光素子が受光した場合のみ検知動作する、いわゆるパルス変調方式が採用されている。
【０１７７】
メダルセンサ１４１は、前記ゲート機構３３２により通されたメダルが第１及び第２の反射式フォトセンサ４７１、４７２の発光部４７１ａ、４７２ａ及び受光部４７１ｂ、４７２ｂに対向するエリアを横切ると、メダル検出信号を主制御基板２０(図２参照)へ送出する。そして、主制御基板２０は、第１及び第２の反射式フォトセンサ４７１、４７２からの前記メダル検出信号をカウントすることでスロットマシン１のメダル投入口７２に投入された正規メダルの枚数を知ることができる。さらに、主制御基板２０は、第１及び第２の反射式フォトセンサ４７１、４７２からの前記メダル検出信号の時間差を検出することでメダル詰まり等のトラブルや不正行為を検出している。
【０１７８】
以下、ケース３０１の正面側について説明する。
【０１７９】
図８において、ケース３０１の正面側で、メダル検出スイッチユニット１４０、フラッパータイプソレノイド１４２の電磁石４５３、第１及び第２の反射式フォトセンサ４７１、４７２からそれぞれ伸び出すハーネス４９１、４９２、４９３、４９４は、ベルト４９５により纏められ、案内面部４３１の正面側に形成されたハーネス保持部４９６に保持された状態でケース３０１から延出する。ケース３０１から延出したハーネス４９１、４９２、４９３、４９４は、一個のハーネス側コネクタ４９７に接続する。ハーネス側コネクタ４９７は、図２に示す中央表示基板３３の基板側コネクタと接続することで主制御基板２０に電気的に接続する。
【０１８０】
以下、メダル選別装置３４によるメダル選別動作について詳細に説明する。
【０１８１】
図１４はメダル投入部７１とメダル選別装置３４の第１及び第２のメダル案内経路２１３、３１２及びその周辺部を前扉３の背面側から見た状態で示す説明図である。
【０１８２】
図１５（ａ）はメダル投入口７２にメダルが投入される以前のメダル選別装置３４を図１４に示すＦ−Ｆ線で破断して示す説明図である。
図１５（ｂ）はメダル投入口７２に大径メダル７０１が投入さる以前のメダル選別装置３４を図１４に示すＦ−Ｆ線で破断して示す説明図である。
図１５（ｃ）はメダル投入口７２に直径が２５mmの小径メダル７０２が投入された場合のメダル選別装置３４を図１４に示すＦ−Ｆ線で破断して示す説明図である。
【０１８３】
図１６（ａ）はメダル投入口７２にメダルが投入される以前のメダル選別装置３４を図１４に示すＧ−Ｇ線で破断して示す説明図である。
図１６（ｂ）はメダル投入口７２に大径メダル７０１が投入された場合のメダル選別装置３４を図１４に示すＧ−Ｇ線で破断して示す説明図である。
【０１８４】
図１６（ｃ）はメダル投入口７２に直径が２５mmの小径メダル７０２が投入された場合のメダル選別装置３４を図１４に示すＧ−Ｇ線で破断して示す説明図である。
【０１８５】
まず、スロットマシン１に使用するメダルの種類を選択する場合の動作を説明する。
【０１８６】
スロットマシン１に使用するメダルとして図１４に示す直径が３０mmの大径メダル７０１を選択する場合、作業者は、図２に示すメダル切換スイッチ８３を操作して図１４に示す直径が３０mmの大径メダル７０１を選択する。スロットマシン１に使用するメダルとして図１４に示す直径が２５mmの小径メダル７０２を選択する場合、作業者は、図２に示すメダル切換スイッチ８３を操作して小径メダル７０２を選択する。
【０１８７】
図１４に示すメダル投入口７２にメダルが投入される以前のメダル検出スイッチユニット１４０は、図１５（ａ）及び図１６（ａ）に示すように、第１及び第２の押圧検出部材２２７、２２８の爪部２６２、２６３がスリット４４３、４４４に挿入され、第２のメダル案内経路３１２へ突出及した状態を維持する。この状態では、第１及び第２の検出出力側接点ばね片２２５、２２６の接触部２７７、２７８は、押圧側接点ばね部材２２４の第１及び第２の操作側接点ばね片部２５２、２５３に接触せず、オープン状態となり、図１０に示す基板側コネクタ２２２の電極ピン２４２−２、２４２−３の出力は、オープン状態のローレベルとなる。
【０１８８】
図１４に示すメダル投入口７２に大径メダル７０１が投入されると、図１３に示すように、メダル投入部７１の第１のメダル案内経路２１３を下方向Ａへ流下してメダル選別装置３４のメダル入口３１１へ案内される。メダル入口３１１からメダル選別装置３４内部の第２のメダル案内経路３１２へ案内された大径メダル７０１は、下方向Ｂへ流下してセレクト機構３２２において、一対の外径規制爪５１２、５１３からなる最大径規制手段、及びシックネススクリュ４３９からなる板厚規制手段を経由することにより、一定以下の外径及び厚みを有するメダルのみが次段の最小径規制手段の転送レール部５１１へ落下する。このとき、速度緩和機構３３１のスイングレバー５０４の先端が大径メダル７０１に当接しながら回動することで、セレクト機構３２２を落下する大径メダル７０１の速度が緩和される。
【０１８９】
転送レール部５１１に落下した大径メダル７０１は、当該転送レール部５１１に沿って左斜め下方向Ｃに方向転換し、図１４に示すセレクト機構３２２のメダル摺接部５２０側へ流下し、図１５（ｂ）及び図１６（ｂ）に示すように、第１及び第２の押圧検出部材２２７、２２８の爪部２６２、２６３を第２のメダル案内経路３１２から退避する方向に押圧して、第１及び第２の押圧検出部材２２７、２２８を第１及び第２の検出出力側接点ばね片２２５、２２６側に移動させ、押圧側接点ばね部材２２４の第１及び第２の操作側接点ばね片部２５２、２５３を第１及び第２の検出出力側接点ばね片２２５、２２６の接触部２７７、２７８に接触させる。これにより、図１０に示す基板側コネクタ２２２の電極ピン２４２−２、２４２−３の両出力は、所定値の正電圧（ハイレベル）となる。また、この状態では、図１５（ｂ）及び図１６（ｂ）に示すように、大径メダル７０１は、メダル検出スイッチユニット１４０の第１及び第２の押圧検出部材２２７、２２８の付勢力によりゲートプレート３０２側へ押し付けられる。ここで図１４に示すようにゲートプレート３０２の転送レール部５１１から切欠き５１４の上縁のメダル摺接部５２０までの距離は正規の大径メダル７０１の外径よりも短く形成されているので、正規の外径を有する大径メダル７０１はメダル検出スイッチユニット１４０の第１及び第２の押圧検出部材２２７、２２８とゲートプレート３０２のメダル摺接部５２０及び案内面部５１６(図１３参照）により挟まれながら転送レール部５１１を流下する。
【０１９０】
図１７はスロットマシン１のメダル投入口７２に小径メダル７０２が投入された場合の動作を背面側から見た状態で示す説明図である。
【０１９１】
図１７に示すように、メダル投入口７２に小径メダル７０２が投入されると、メダル投入部７１の第１のメダル案内経路２１３を下方向Ａへ流下してメダル選別装置３４のメダル入口３１１へ案内される。メダル入口３１１からメダル選別装置３４内部の第２のメダル案内経路３１２へ案内された小径メダル７０２は、下方向Ｂへ流下して、セレクト機構３２２において、一定以下の厚みを有するメダルのみが次段の最小径規制手段の転送レール部５１１へ落下する。このとき、速度緩和機構３３１のスイングレバー５０４の先端が小径メダル７０２に当接しながら回動することで、セレクト機構３２２を落下する小径メダル７０２の速度が緩和される。
【０１９２】
転送レール部５１１に落下した小径メダル７０２は、当該転送レール部５１１に沿って左斜め下方向Ｃに方向転換し、図１４に示すセレクト機構３２２のメダル摺接部５２０側へ流下し、図１５（ｃ）及び図１６（ｃ）に示すように、第１の押圧検出部材２２７の爪部２６２を第２のメダル案内経路３１２から退避する方向に押圧して、第１の押圧検出部材２２７を第１の検出出力側接点ばね片２２５側に移動させ、押圧側接点ばね部材２２４の第１の操作側接点ばね片部２５２を第１の検出出力側接点ばね片２２５の接触部２７７に接触させる。これにより、基板側コネクタ２２２の電極ピン２４２−２の出力は、所定の正電圧となる。
【０１９３】
ここで、ゲートプレート３０２の転送レール部５１１から第２の押圧検出部材２２８の爪部２６３までの距離は正規の小径メダル７０２の外径よりも若干長く形成されているので、第２の押圧検出部材２２８の爪部２６３は、第２のメダル案内経路３１２側へ最大限突出及した状態を維持する。この状態では、第２の検出出力側接点ばね片２２６の接触部２７８は、押圧側接点ばね部材２２４の第２の操作側接点ばね片部２５３に接触せず、オープン状態となり、基板側コネクタ２２２の電極ピン２４２−３の出力は、オープン状態のローレベルとなる。
【０１９４】
また、この状態では、ゲートプレート３０２の転送レール部５１１から切欠き５１４の上縁のメダル摺接部５２０までの距離は正規の小径メダル７０２の外径よりも若干短く形成されているので、正規の外径を有する小径メダル７０２はメダル検出スイッチユニット１４０の第１の押圧検出部材２２７とゲートプレート３０２のメダル摺接部５２０及び案内面部５１６（図１３参照）により挟まれながら転送レール部５１１を流下する。
【０１９５】
また、メダル投入口７２にゲートプレート３０２の転送レール部５１１からメダル摺接部５２０までの距離より直径が小さい異物や不良のメダルが投入されると、異物や不良のメダルはメダル検出スイッチユニット１４０の第１の押圧検出部材２２７により上部が切欠き５１４から押し出され、図５に示すゲートプレート３０２の傾斜壁部５１５へ倒される。また、図１３に示すメダル排除口３２１を形成する折曲部４３２（図５参照）は転送レール部５１１よりも若干高く位置しているので、メダル検出スイッチユニット１４０によって倒された異物や不良のメダルは転送レール部５１１から脱落する。これにより、異物や不良のメダルはメダル排除口３２１を介して下方向Ｄへ排除され図２に示すキャンセルシュート部材３６（図２参照）を介してメダル払出口６２（図２参照）から排出される。
【０１９６】
一方、前記セレクト機構３２２を通過した大径メダル７０１及び小径メダル７０２は、転送レール部５１１を流下してゲート機構３３２へ進入する。
【０１９７】
ここで、ゲート機構３３２は、主制御基板２０からの制御信号に従って第２のメダル案内経路３１２を流下する大径メダル７０１及び小径メダル７０２をメダルセンサ１４１側へ通過させるメダル受付許可状態と、大径メダル７０１及び小径メダル７０２をメダル排除口３２１から落下させて排除するメダル受付禁止状態とに遷移する。
【０１９８】
主制御基板２０は、前記ハーネス側コネクタ４９０、ハーネス４９１及び中央表示基板３３を介して基板側コネクタ２２２の電極ピン２４２−２、２４２−３の出力を受信しており、基板側コネクタ２２２の電極ピン２４２−２、２４２−３の両出力が所定値の正電圧となった場合、前記セレクト機構３２２を通過したメダルが大径メダル７０１であると判別し、基板側コネクタ２２２の電極ピン２４２−２の出力が所定値の正電圧となり、且つ基板側コネクタ２２２の電極ピン２４２−３の出力がオープン状態のローレベルとなった場合、前記セレクト機構３２２を通過したメダルが小径メダル７０２であると判別する。
【０１９９】
主制御基板２０は、入賞役のリプレイに当選した場合等、スロットマシン１がメダルの種類に関わらず新たなメダルの受付を禁止する状態を除き、前記メダル切換スイッチ８３により使用が選択されたメダルとメダル検出スイッチユニット１４０の基板側コネクタ２２２の電極ピン２４２−２、２４２−３の出力から判別したメダルの種類が一致した場合にゲート機構３３２をメダル受付許可状態に制御する。また、主制御基板２０は、スロットマシン１がメダルの種類に関わらず新たなメダルの受付を禁止する状態と、前記メダル切換スイッチ８３により使用が選択されたメダルと前記メダル検出スイッチユニット１４０が検出したメダルの種類が異なる場合にゲート機構３３２をメダル受付禁止状態に制御する。
【０２００】
図１８は、メダル受付許可状態でメダル通過前のメダル選別装置３４を図１４に示すＨ−Ｈ線で破断して示す断面図である。図１９は、メダル受付許可状態でメダル通過中のメダル選別装置３４を図１４に示すＨ−Ｈ線で破断して示す断面図である。図２０は、メダル受付禁止状態でメダル通過前のメダル選別装置３４を図１４に示すＨ−Ｈ線で破断して示す断面図である。図２１は、メダル受付禁止状態でメダル排除中のメダル選別装置３４を図１４に示すＨ−Ｈ線で破断して示す断面図である。図２２は、メダル受付禁止状態のメダル選別装置３４を図１４に示すＩ−Ｉ線で破断して示す断面図である。
【０２０１】
図１８及び図１９において、ゲート機構３３２がメダル受付許可状態にあるときには、電磁石４５３がオンし、その磁力によってメダルブロッカ４５１が引き付けられ、メダルブロッカ４５１の先端に形成されている規制爪部４６７が第２のメダル案内経路３１２から退避する。同時に、コイルバネ５０７により常時付勢されている案内レバー５０５は、ケース３０１に向けて延出する位置決めピン５２１がケース３０１の案内面部４３１に当接し、ゲートプレート３０２に対してほぼ平行する回動位置に静止している。すなわち、メダル受付許可状態においては、ゲートプレート３０２の切欠き部分が案内レバー５０５で閉塞されるので、図１９に示すゲート機構３３２に進入したメダル７００（大径メダル７０１又は小径メダル７０２）は、ケース３０１の案内面部４３１と案内レバー５０５とにより案内されながらゲート機構３３２を通過し、次段のメダルセンサ１４１へ流下する。
【０２０２】
次に、リール１０１ａ、１０１ｂ、１０１ｃ（図３参照）の回転中や、入賞役のリプレイに当選した場合等のスロットマシン１がメダルの種類に関わらず新たなメダルの受付を禁止する状態と、前記メダル切換スイッチ８３により使用が選択されたメダルと前記メダル検出スイッチユニット１４０が検出したメダルの種類が異なる場合にメダルの受付を禁止する状態、即ちメダル受付禁止状態におけるゲート機構３３２の動作を説明する。
【０２０３】
図２０及び図２１において、ゲート機構３３２がメダル受付禁止状態にあるときには、主制御基板２０（図３参照）はフラッパータイプソレノイド１４２の電磁石４５３（図５参照）に対して駆動電流を供給せず、電磁石４５３がオフし、コイルバネ４５２の引張り力によってメダルブロッカ４５１の規制爪部４６７は第２のメダル案内経路３１２内へ突出している。また、案内レバー５０５は、メダルブロッカ４５１へ向けて延出する当接ピン５２２が当該メダルブロッカ４５１と当接しながらゲートプレート３０２の外方側へ押し出される。
【０２０４】
なお、図２２に示すように、規制爪部４６７は、第２のメダル案内経路３１２の上流側隅部が斜めに切除された形状に形成されている。このため、第２のメダル案内経路３１２内へ突出する規制爪部４６７にメダル７００が衝突すると、当該メダル７００はゲートプレート３０２の開放された傾斜壁部５１５へ倒される。そして、図２１に示されるように、傾斜壁部５１５へ倒されたメダル７００は、折曲部４３２と転送レール部５１１との高低差により形成されるメダル排除口３２１を介して下方向Ｄへ排除され図２に示すキャンセルシュート部材３６を介してメダル払出口６２から排出される。
【０２０５】
次に、メダル受付許可時にゲート機構３３２を通過したメダル７００は、図１４に示すメダルセンサ１４１を横切ってメダル出口３１３へ到達し、上述したホッパ装置２１へ案内され貯留される。
【０２０６】
ここで、メダルセンサ１４１は、メダル７００が発光部４７１ａ、４７２ａ及び受光部４７１ｂ、４７２ｂに対向するエリアを横切ると、メダル検出信号を主制御基板２０へ送出する。そして、主制御基板２０は、メダルセンサ１４１からの前記メダル検出信号を受信し、これをカウントして内部貯留しているメダル数であるクレジット数に加算する。
【０２０７】
メダルセンサ１４１で検出が行われたメダル７００は、メダル出口３１３から左斜め下方向Ｅへ排出され、図２に示すガイド部材３５を介してホッパ装置２１のメダル収納部２６に貯留される。
【０２０８】
このような構成及び動作を纏めて説明すると、大径メダル７０１及び小径メダル７０２は、直径が異なる複数種類のメダルになっている。
【０２０９】
スロットマシン１は、大径メダル７０１及び小径メダル７０２を選択的に使用可能であって、選択して使用する直径の適正な前記メダルだけしかホッパ装置２１のメダル収納部２６に収容されないように当該メダルを当該メダル収納部２６に導くメダル選別装置３４を有する遊技機になっている。
【０２１０】
図２のメダル切換スイッチ８３は、スロットマシン１で使用する前記メダルの種類を選択するためのメダル選択手段になっている。
【０２１１】
第１及び第２のメダル案内経路２１３、３１２は、メダル投入口７２から投入された前記メダルを前記メダル収納部２６に案内する。
【０２１２】
図５のメダル検出スイッチユニット１４０は、前記第１及び第２のメダル案内経路２１３、３１２を移動する前記メダルが所定の直径より小さい小径メダル７０２または前記所定の直径より大きい大径メダル７０１の何れであるかを検出するメダル検出手段になっている。
【０２１３】
図５のフラッパータイプソレノイド１４２及び図２の主制御基板２０は、前記メダル切換スイッチ８３により使用が選択されたメダルと前記メダル検出スイッチユニット１４０が検出したメダルの種類が一致した場合に前記メダルを前記メダル収納部２６へ通過させ、前記メダル切換スイッチ８３により使用が選択されたメダルと前記メダル検出スイッチユニット１４０が検出したメダルの種類が異なる場合に前記メダルを前記第１及び第２のメダル案内経路２１３、３１２から排除するメダル排除手段になっている。
【０２１４】
前記メダル検出スイッチユニット１４０の第１の押圧検出部材２２７、第１の検出出力側接点ばね片２２５及び第１の操作側接点ばね片部２５２は、前記第２のメダル案内経路３１２内の前記大径メダル７０１が通過する領域と前記小径メダル７０２が通過する領域が重複する位置に設けられ、前記大径メダル７０１と前記小径メダル７０２の双方を検出可能な前記メダル検出手段の第１の検出部になっている。
【０２１５】
前記メダル検出スイッチユニット１４０の第２の押圧検出部材２２８、第２の検出出力側接点ばね片２２６、第２の操作側接点ばね片部２５３は、前記第２のメダル案内経路３１２内の前記小径メダル７０２が通過する領域の外側であって、且つ前記大径メダル７０１が通過する領域内の位置に設けられ、前記大径メダル７０１を検出する前記メダル検出手段の第２の検出部になっている。
【０２１６】
図２の主制御基板２０は、前記第１及び第２の検出部の検出結果から前記第１及び第２のメダル案内経路２１３、３１２を移動するメダルが前記小径メダル７０２または前記大径メダル７０１の何れであるかを判別するメダル判別手段になっている。
【０２１７】
メダル検出スイッチユニット１４０で大径メダル７０１を選択した状態で、
図１４に示すメダル投入口７２に大径メダル７０１を投入すると、メダル検出スイッチユニット１４０の第１及び第２の押圧検出部材２２７、２２８の爪部２６２、２６３が大径メダル７０１により押され、基板側コネクタ２２２の電極ピン２４２−２、２４２−３の両出力は、所定値の正電圧となり、
主制御基板２０は、前記メダル切換スイッチ８３により使用が選択されたメダルと基板側コネクタ２２２の電極ピン２４２−２、２４２−３の出力から判別したメダルの種類が一致したと判別し、メダルの種類に関係しないゲーム上の新規のメダルの受付禁止状態を除いてゲート機構３３２をメダル受付許可状態に制御し、大径メダル７０１をゲート機構３３２に通過させる。ゲート機構３３２を通過した大径メダル７０１は、図１４に示すメダルセンサ１４１を横切ってメダル出口３１３へ到達し、メダル出口３１３から図２に示すガイド部材３５を介してホッパ装置２１のメダル収納部２６に貯留される。
【０２１８】
メダル検出スイッチユニット１４０で大径メダル７０１を選択した状態で、
図１４に示すメダル投入口７２に小径メダル７０２を投入すると、メダル検出スイッチユニット１４０の第１の押圧検出部材２２７の爪部２６２が小径メダル７０２により押され一方、メダル検出スイッチユニット１４０の第２の押圧検出部材２２８の爪部２６３には小径メダル７０２が接触せず、基板側コネクタ２２２の電極ピン２４２−２の出力は、所定値の正電圧となり、基板側コネクタ２２２の電極ピン２４２−３の出力は、オープン状態のローレベルとなり、主制御基板２０は、前記メダル切換スイッチ８３により使用が選択されたメダルと基板側コネクタ２２２の電極ピン２４２−２、２４２−３の出力から判別したメダルの種類が一致していないと判別し、ゲート機構３３２をメダル受付禁止状態に制御し、小径メダル７０２はメダル排除口３２１から下方のキャンセルシュート部材３６（図３参照）側へ排除される。
【０２１９】
メダル検出スイッチユニット１４０で小径メダル７０２を選択した状態で、図１４に示すメダル投入口７２に小径メダル７０２を投入すると、メダル検出スイッチユニット１４０の第１押圧検出部材２２７の爪部２６２が小径メダル７０２により押され一方、メダル検出スイッチユニット１４０の第２の押圧検出部材２２８の爪部２６３には小径メダル７０２が接触せず、基板側コネクタ２２２の電極ピン２４２−２の出力は、所定値の正電圧となり、基板側コネクタ２２２の電極ピン２４２−３の出力は、オープン状態のローレベルとなり、主制御基板２０は、前記メダル切換スイッチ８３により使用が選択されたメダルと基板側コネクタ２２２の電極ピン２４２−２、２４２−３の出力から判別したメダルの種類が一致したと判別し、メダルの種類に関係しないゲーム上の新規のメダルの受付禁止状態を除いてゲート機構３３２をメダル受付許可状態に制御し、ゲート機構３３２をメダル受付許可状態に制御し、ゲート機構３３２に小径メダル７０２を通過させる。ゲート機構３３２を通過した小径メダル７０２は、図１４に示すメダルセンサ１４１を横切ってメダル出口３１３へ到達し、メダル出口３１３から図２に示すガイド部材３５を介してホッパ装置２１のメダル収納部２６に貯留される。
【０２２０】
メダル検出スイッチユニット１４０で小径メダル７０２を選択した状態で、図１４に示すメダル投入口７２に大径メダル７０１を投入すると、メダル検出スイッチユニット１４０の第１及び第２の押圧検出部材２２７、２２８の爪部２６２、２６３が大径メダル７０１により押され、基板側コネクタ２２２の電極ピン２４２−２、２４２−３の両出力は、所定値の正電圧となり、主制御基板２０は、前記メダル切換スイッチ８３により使用が選択されたメダルと基板側コネクタ２２２の電極ピン２４２−２、２４２−３の出力から判別したメダルの種類が一致していないと判別し、ゲート機構３３２をメダルの受付禁止状態に制御し、大径メダル７０１はメダル排除口３２１から下方のキャンセルシュート部材３６（図３参照）側へ排除される。
【０２２１】
図１乃至図２２に示した本発明の第１の実施形態のスロットマシン１によれば、大径メダル７０１及び小径メダル７０２の何れを使用しても遊技が行えるとともに、一本に続く第１及び第２のメダル案内経路２１３、３１２で前記大径メダル７０１及び前記小径メダル７０２の一方を選択して流下させることができるので、小型かつシンプルなメダル選別構造を採用でき、メダルを選別する部品の占める割合を低減し、その分ランプやスピーカ等の演出装置を搭載できるスペースを増大させることができる。
【０２２２】
（２）第２の実施形態
以下、本発明に係る遊技機の好適な第２の実施形態を、スロットマシンを例に図面を参照して説明する。
【０２２３】
図２３は本発明の第２の実施形態によるメダル投入部７１とメダル選別装置８０１の第１及び第２のメダル案内経路２１３、３１２及びその周辺部を前扉３の背面側から見た状態で示す説明図である。図２３において、図１乃至図２２に示した第１の実施形態と同様の構成要素には同じ符号を付して説明を省略している。また、第２の実施形態の図２３に図示しない構成要素は図１乃至図２２に示した第１の実施形態と同様になっている。
【０２２４】
図２３において、メダル選別装置８０１の第２のメダル案内経路３１２の上側の案内面部４３１には、メダル検出手段として反射式フォトセンサ８０２を設けている。
【０２２５】
反射式フォトセンサ８０２は、前記第２のメダル案内経路３１２内に向けて光を照射する発光部８０２ａと当該第２のメダル案内経路３１２内を通過するメダルから反射した光を受光する受光部８０２ｂを有し、前記第２のメダル案内経路３１２の所定の位置を通過する前記メダルを光学的に検出する光学センサになっている。
【０２２６】
第２の実施形態による主制御基板８２０は、前記光学センサが検出したメダルの通過時間から前記メダル案内経路を移動するメダルが前記小径メダルまたは前記大径メダルの何れであるかを判別するメダル判別手段になっている。
【０２２７】
図５のフラッパータイプソレノイド１４２及び主制御基板８２０は、前記メダル切換スイッチ８３により使用が選択されたメダルと反射式フォトセンサ８０２が検出したメダルの種類が一致した場合に前記メダルを前記メダル収納部２６へ通過させ、前記メダル切換スイッチ８３により使用が選択されたメダルと反射式フォトセンサ８０２が検出したメダルの種類が異なる場合に前記メダルを前記第１及び第２のメダル案内経路２１３、３１２から排除するメダル排除手段になっている。
【０２２８】
図２３に示した本発明の第２の実施形態のスロットマシンによれば、大径メダル７０１及び小径メダル７０２の何れを使用しても遊技が行えるとともに、一本に続く第１及び第２のメダル案内経路２１３、３１２で前記大径メダル７０１及び前記小径メダル７０２の一方を選択して流下させることができるので、図１乃至図２２に示した第１の実施形態と同様の効果が得られる。
【０２２９】
尚、図1乃至図２３に示した第１及び第２の実施形態は、メダル検出手段（メダル検出スイッチユニット１４０、反射式フォトセンサ８０２）をメダル選別装置３４に設けたが、メダル投入部７１にメダル検出手段を設けるように構成してもよく、さらにメダル投入部７１とメダル選別装置３４の間にメダル案内経路を形成する別の部材を設けて、この別の部材に前記メダル検出手段を設けてもよい。また、メダル検出手段としては、赤外線センサを用いてもよく、機械式スイッチのオン時間でメダルの種類を検出するものを用いてもよい。
【０２３０】
さらに、図1乃至図２３に示した第１及び第２の実施形態は、スロットマシンに限らず、メダルを使用するアレンジボール、雀球遊技機等の他の遊技機に応用することができる。
【図面の簡単な説明】
【０２３１】
【図１】図１は、本発明の第１の実施形態によるスロットマシンの外観構造を表した斜視図である。
【図２】図２は、本発明の第１の実施形態による外装用前扉を開放した状態におけるスロットマシン１の内部構造を表した図である。
【図３】図３は、本発明の第１の実施形態によるスロットマシンの制御システムを表したブロック図である。
【図４】図４は、本発明の第１の実施形態によるメダル投入部の前方右斜め上側から見た斜視図である。
【図５】図５は、本発明の第１の実施形態によるメダル選別装置の分解斜視図である。
【図６】図６は、本発明の第１の実施形態によるメダル選別装置からカバーを取り外した状態の左後方斜め上側から見た斜視図である。
【図７】図７は、本発明の第１の実施形態によるメダル選別装置を組み立てた状態の右後方斜め上側から見た斜視図である。
【図８】図８は、本発明の第１の実施形態によるメダル選別装置のケースの背面図である。
【図９】図９は、本発明の第１の実施形態によるメダル検出スイッチユニットの分解斜視図である。
【図１０】図１０は、本発明の第１の実施形態によるメダル検出スイッチユニットの組み立てた状態の斜視図である。
【図１１】図１１は、本発明の第１の実施形態によるメダル検出スイッチユニットの及びその周辺部の分解斜視図である。
【図１２】図１２は、本発明の第１の実施形態によるメダル検出スイッチユニット及びその周辺部の斜視図である。
【図１３】図１３は、本発明の第１の実施形態によるメダル投入部及びメダル選別装置の一部切り欠いて示す背面図である。
【図１４】図１４は、本発明の第１の実施形態によるメダル投入部とメダル選別装置のメダル案内経路及びその周辺部を前扉の背面側から見た状態で示す説明図である。
【図１５】図１５は、本発明の第１の実施形態によるメダル選別装置を図１４に示すＦ−Ｆ線で破断して示す説明図である。
【図１６】図１６は、本発明の第１の実施形態によるメダル選別装置を図１４に示すＧ−Ｇ線で破断して示す説明図である。
【図１６】図１６は、本発明の第１の実施形態によるメダル投入口に大径メダルが投入された場合のメダル選別装置を図１４に示すＧ−Ｇ線で破断して示す説明図である。
【図１７】図１７は、本発明の第１の実施形態によるスロットマシンのメダル投入口に小径メダルが投入された場合の動作を背面側から見た状態で示す説明図である。
【図１８】図１８は、本発明の第１の実施形態によるメダル受付許可状態でメダル通過前のメダル選別装置を図１４に示すＨ−Ｈ線で破断して示す断面図である。
【図１９】図１９は、本発明の第１の実施形態によるメダル受付許可状態でメダル通過中のメダル選別装置を図１４に示すＨ−Ｈ線で破断して示す断面図である。
【図２０】図２０は、本発明の第１の実施形態によるメダル受付禁止状態でメダル通過前のメダル選別装置を図１４に示すＨ−Ｈ線で破断して示す断面図である。
【図２１】図２１は、本発明の第１の実施形態によるメダル受付禁止状態でメダル排除中のメダル選別装置を図１４に示すＨ−Ｈ線で破断して示す断面図である。
【図２２】図２２は、本発明の第１の実施形態によるメダル受付禁止状態のメダル選別装置を図１４に示すＩ−Ｉ線で破断して示す断面図である。
【図２３】図２３は、本発明の第２の実施形態によるメダル投入部とメダル選別装置のメダル案内経路及びその周辺部を前扉の背面側から見た状態で示す説明図である。
【符号の説明】
【０２３２】
１…スロットマシン、２…筐体、３…前扉、４…上部パネル部、
５…下部パネル部、６…メダル受皿部、７…操作卓、８…開口、
２０…主制御基板、２１…ホッパ装置、２２…補助貯留部、
２３…主電源装置、２４…電源装置基板、２５…メダル排出口、
２６…メダル収納部、２７…外部集中端子基板、３０…発光駆動部、
３２ａ、３２ｂ…スピーカ、３３…中央表示基板、
３４…メダル選別装置、３５…ガイド部材、
３６…キャンセルシュート部材、３７…ガイド部材、
３８ａ、３８ｂ…スピーカ、４０…サブ制御基板、４１…パネル面、
４２…表示窓、４３…演出用照明部、４４ａ、４４ｂ…演出用放音部、
４５…表示窓、４６…液晶表示装置、４７…パネル板、
５１…表示パネル、６１…メダル受皿、６２…メダル払出口、
６３ａ、６３ｂ…左右の演出用放音部、７１…メダル投入部、
７２…メダル投入口、７３、７４…ベットボタン、
７５…スタートレバー、７６ａ、７６ｂ、７６ｃ…ストップボタン、
７７…精算ボタン、７８…鍵穴、８０、９０…基板ケース、
８１、８２…左右のブラケット部材、８３…メダル切換スイッチ、
８４…保持具、１００…リールユニット、
１０１ａ、１０１ｂ、１０１ｃ…リール、１１０…リール基板、
１２０…メインＣＰＵ、１２１…記憶部、１２２…Ｉ／Ｆ回路、
１２３…ソレノイド駆動回路、１３１…プログラムＲＯＭ、
１３２…制御ＲＡＭ、１４０…メダル検出スイッチユニット、
１４１…メダルセンサ、１４２…フラッパータイプソレノイド、
２０１…本体部、２０２…背面蓋部、２０３…背面側板状部、
２０４…ガイド部、２０５…隙間、２１１…案内経路形成部、
２１２…隙間、２１３…第１のメダル案内経路、２２０…ネジ、
２２１…印刷配線基板、２２２…基板側コネクタ、
２２３…絶縁基台、２２４…押圧側接点ばね部材、
２２５、２２６…第１及び第２の検出出力側接点ばね片、
２２７、２２８…第１及び第２の押圧検出部材、
２２９、２２９…ネジ、２３１…部品実装面、２３２…配線面、
２３３、２３３…ネジ孔、
２３４−１、２３４−２、２３４−３…端子挿入孔、
２３５−１、２３５−２、２３５−３…端子挿入孔、
２３６−１、２３６−２、２３６−３…半田付けランド、
２３７−１、２３７−２、２３７−３…半田付けランド、
２３８−１、２３８−２、２３８−３…配線パターン、
２２２…基板側コネクタ、２４１…絶縁基台、
２４２−１、２４２−２、２４２−３…電極ピン、
２４２−１、２４２−２、２４２−３…電極ピン、
２４３…折曲部、２４４…垂直部、２４５…平行部、
２４６…結合面、２４７…基端面、２４８…基板取付面、
２５１…平面部、２５２、２５３…操作側接点ばね片部、
２５１…平面部、２５４…接続端子部、２５５…ネジ挿通孔、
２６１…溝形部、２６２、２６３…爪部、２６４…溝、
２６５…ネジ孔、２６６、２６７…傾斜面、２７１、２７２…平面部、
２７３、２７４…検出出力側接点ばね片部、
２７５、２７６…接続端子部、２７７、２７８…接触部、
２２３…絶縁基台、２８１…バネ片延出面、２８２…基端面、
２８１…バネ片配設面、２８３…基板取付面、２８４…ケース対向面、
２８５、２８６、２８７…凹部、
２８８、２８９、２９０…スリット、２９１、２９２、２９３…溝部、
３０１…ケース、３０２…ゲートプレート、
３０３…カバー、３１１…メダル入口、
３１２…第２のメダル案内経路、３１３…メダル出口、
３２１…メダル排除口、
３２２…セレクト機構、３３１…速度緩和機構、３３２…ゲート機構、
４００…部品取付部、４０１、４０２、４０３…壁部、
４１１、４１２、４２１、４２２…突起部、４３１…案内面部、
４３２…折曲部、４３３…傾斜面部、４３４…折曲部、
４３５…垂直面部、４４０…収納部、４４１…ネジ、
４４２…ネジ止め部、４４３、４４４…スリット、
４５０…ソレノイド本体、
４５１…メダルブロッカ、４５２…コイルバネ、４５３…電磁石、
４５４…プレート部材、４５５…平面部、４５６…平面部、
４５７…電磁コイル、４５８…ボビン、４５９…鉄芯、
４６０…突起部、４６１…フック、４６２…突起部、４６３…フック、
４６５…切り欠き、４６６…規制片、４６７…規制爪部、４７０…開口、
４７１、４７２…反射式フォトセンサ、４７１ａ、４７２ａ…発光部、
４７１ｂ、４７２ｂ…受光部、４９０…ハーネス側コネクタ、
４９１…ハーネス、４９１、４９２、４９３、４９４…ハーネス、
４９５…ベルト、４９６…ハーネス保持部、４９７…ハーネス側コネクタ、
５０１…本体、５０２…軸部、５０３…コイルバネ、
５０４…スイングレバー、５０５…案内レバー、
５０６、５０７…コイルバネ、５０８…爪部、５１０…軸部、
５１１…転送レール部、５１２、５１３…外径規制爪、
５１４…切欠き、５１５…傾斜壁部、５１６…案内面部、
５２０…メダル摺接部、７００…メダル、５２１…位置決めピン、
５２２…当接ピン、７０１…大径メダル、
７０２…小径メダル、８０１…メダル選別装置、
８０２…反射式フォトセンサ、８０２ａ、８０２ｂ…発光部、
８２０…主制御基板
【図１】
2009268816.tif 000003
【図２】
2009268816.tif 000004
【図３】
2009268816.tif 000005
【図４】
2009268816.tif 000006
【図５】
2009268816.tif 000007
【図６】
2009268816.tif 000008
【図７】
2009268816.tif 000009
【図８】
2009268816.tif 000010
【図９】
2009268816.tif 000011
【図１０】
2009268816.tif 000012
【図１１】
2009268816.tif 000013
【図１２】
2009268816.tif 000014
【図１３】
2009268816.tif 000015
【図１４】
2009268816.tif 000016
【図１５】
2009268816.tif 000017
【図１６】
2009268816.tif 000018
【図１７】
2009268816.tif 000019
【図１８】
2009268816.tif 000020
【図１９】
2009268816.tif 000021
【図２０】
2009268816.tif 000022
【図２１】
2009268816.tif 000023
【図２２】
2009268816.tif 000024
【図２３】
2009268816.tif 000025